【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
入力画像データに基づく画像を画面に表示する表示手段と、
前記入力画像データの輝度のダイナミックレンジに関する情報であるダイナミックレンジ情報を取得する取得手段と、
輝度と色の少なくとも一方のムラを低減するムラ低減処理を、前記入力画像データに施す処理手段と、
を有し、
前記処理手段は、前記ダイナミックレンジ情報に基づいて、前記入力画像データの輝度が所定輝度よりも高い領域において、前記ムラ低減処理によるムラの低減度合いを低減する
ことを特徴とする画像表示装置。
【請求項２】
前記処理手段は、前記入力画像データの輝度が前記所定輝度よりも高い領域において、前記ムラ低減処理によるムラの低減度合いを、前記入力画像データの輝度が高いほど低い値に低減する
ことを特徴とする請求項１に記載の画像表示装置。
【請求項３】
前記処理手段は、
前記ダイナミックレンジ情報に基づいて、前記入力画像データの階調値と、前記入力画像データの輝度との対応関係を判断する判断手段と、
前記ムラ低減処理を前記入力画像データに施すムラ補正手段と、
を有し、
前記ムラ補正手段は、前記判断手段の判断結果に基づいて、前記入力画像データの輝度が前記所定輝度よりも高い領域において、前記ムラ低減処理によるムラの低減度合いを低減する
ことを特徴とする請求項１または２に記載の画像表示装置。
【請求項４】
前記判断手段は、前記ダイナミックレンジ情報に基づいて、前記入力画像データの階調値に対応する所定レンジの階調値と、前記入力画像データの輝度との対応関係を判断することを特徴とする請求項３に記載の画像表示装置。
【請求項５】
前記判断手段は、前記入力画像データの輝度が前記所定輝度よりも高い領域において、前記ムラ低減処理によるムラの低減度合いが低減されるように、前記対応関係に基づいて前記ムラ低減処理で使用されるパラメータを決定する
ことを特徴とする請求項３または４に記載の画像表示装置。
【請求項６】
前記取得手段は、前記表示手段での表示に関する設定に応じて、前記ダイナミックレンジ情報を生成する
ことを特徴とする請求項１〜５のいずれか１項に記載の画像表示装置。
【請求項７】
発光手段と、
前記発光手段の発光輝度を制御する制御手段と、
をさらに有し、
前記表示手段は、前記発光手段からの光を画像データに基づいて変調することで、当該画像データに基づく画像を前記画面に表示し、
前記制御手段は、前記ムラ低減処理による前記画面の輝度の変化が低減されるように、前記発光手段の発光輝度を制御する
ことを特徴とする請求項１〜６のいずれか１項に記載の画像表示装置。
【請求項８】
前記処理手段は、前記入力画像データの輝度が前記所定輝度よりも高い領域において、当該領域のサイズが小さいほど低い値に、前記ムラ低減処理によるムラの低減度合いを低減する
ことを特徴とする請求項１〜７のいずれか１項に記載の画像表示装置。
【請求項９】
前記ダイナミックレンジ情報に基づいて、前記入力画像データの輝度が前記所定輝度よりも高い領域のサイズを判断するサイズ判断手段をさらに有する
ことを特徴とする請求項８に記載の画像表示装置。
【請求項１０】
入力画像データの輝度のダイナミックレンジに関する情報であるダイナミックレンジ情報を取得する取得手段と、
輝度と色の少なくとも一方のムラを低減するムラ低減処理を、前記入力画像データに施す処理手段と、
を有し、
前記処理手段は、前記ダイナミックレンジ情報に基づいて、前記入力画像データの階調値に対応する輝度が所定輝度よりも高い領域において、前記ムラ低減処理によるムラの低減度合いを低減する
ことを特徴とする画像処理装置。
【請求項１１】
入力画像データに基づく画像を画面に表示する表示手段を有する画像表示装置の制御方法であって、
前記入力画像データの輝度のダイナミックレンジに関する情報であるダイナミックレンジ情報を取得する取得ステップと、
輝度と色の少なくとも一方のムラを低減するムラ低減処理を、前記入力画像データに施す処理ステップと、
を有し、
前記処理ステップでは、前記ダイナミックレンジ情報に基づいて、前記入力画像データの階調値に対応する輝度が所定輝度よりも高い領域において、前記ムラ低減処理によるムラの低減度合いを低減する
ことを特徴とする画像表示装置の制御方法。
【請求項１２】
入力画像データの輝度のダイナミックレンジに関する情報であるダイナミックレンジ情
報を取得する取得ステップと、
輝度と色の少なくとも一方のムラを低減するムラ低減処理を、前記入力画像データに施す処理ステップと、
を有し、
前記処理ステップでは、前記ダイナミックレンジ情報に基づいて、前記入力画像データの階調値に対応する輝度が所定輝度よりも高い領域において、前記ムラ低減処理によるムラの低減度合いを低減する
ことを特徴とする画像処理装置の制御方法。
【請求項１３】
入力画像データに基づく画像を画面に表示する表示手段を有する画像表示装置の制御方法をコンピュータに実行させるプログラムであって、
前記制御方法は、
前記入力画像データの輝度のダイナミックレンジに関する情報であるダイナミックレンジ情報を取得する取得ステップと、
輝度と色の少なくとも一方のムラを低減するムラ低減処理を、前記入力画像データに施す処理ステップと、
を有し、
前記処理ステップでは、前記ダイナミックレンジ情報に基づいて、前記入力画像データの階調値に対応する輝度が所定輝度よりも高い領域において、前記ムラ低減処理によるムラの低減度合いを低減する
ことを特徴とするプログラム。
【請求項１４】
画像処理装置の制御方法をコンピュータに実行させるプログラムであって、
前記制御方法は、
入力画像データの輝度のダイナミックレンジに関する情報であるダイナミックレンジ情報を取得する取得ステップと、
輝度と色の少なくとも一方のムラを低減するムラ低減処理を、前記入力画像データに施す処理ステップと、
を有し、
前記処理ステップでは、前記ダイナミックレンジ情報に基づいて、前記入力画像データの階調値に対応する輝度が所定輝度よりも高い領域において、前記ムラ低減処理によるムラの低減度合いを低減する
ことを特徴とするプログラム。
【手続補正２】
【補正対象書類名】明細書
【補正対象項目名】０００４
【補正方法】変更
【補正の内容】
【０００４】
ＨＤＲ画像を用いた画像制作ワークフローでは、液晶表示装置（ＬＣＤ（Ｌｉｑｕｉｄ
Ｃｒｙｓｔａｌ  Ｄｉｓｐｌａｙ）装置）などの画像表示装置にＨＤＲ画像を表示して、画像の確認や編集が行われる。画像制作ワークフローでは、制作対象のコンテンツに応じて、ＨＤＲ画像、非ＨＤＲ画像、等の様々な画像が扱われる。そのため、画像表示装置にＨＤＲ画像、非ＨＤＲ画像、及び、それらの両方が表示されることがある。
【手続補正３】
【補正対象書類名】明細書
【補正対象項目名】００１０
【補正方法】変更
【補正の内容】
【００１０】
本発明の第１の態様は、
入力画像データに基づく画像を画面に表示する表示手段と、
前記入力画像データの輝度のダイナミックレンジに関する情報であるダイナミックレンジ情報を取得する取得手段と、
輝度と色の少なくとも一方のムラを低減するムラ低減処理を、前記入力画像データに施す処理手段と、
を有し、
前記処理手段は、前記ダイナミックレンジ情報に基づいて、前記入力画像データの階調値に対応する輝度が所定輝度よりも高い領域において、前記ムラ低減処理によるムラの低減度合いを低減する
ことを特徴とする画像表示装置である。
【手続補正４】
【補正対象書類名】明細書
【補正対象項目名】００１１
【補正方法】変更
【補正の内容】
【００１１】
本発明の第２の態様は、
入力画像データの輝度のダイナミックレンジに関する情報であるダイナミックレンジ情報を取得する取得手段と、
輝度と色の少なくとも一方のムラを低減するムラ低減処理を、前記入力画像データに施す処理手段と、
を有し、
前記処理手段は、前記ダイナミックレンジ情報に基づいて、前記入力画像データの階調値に対応する輝度が所定輝度よりも高い領域において、前記ムラ低減処理によるムラの低減度合いを低減する
ことを特徴とする画像処理装置である。
【手続補正５】
【補正対象書類名】明細書
【補正対象項目名】００１２
【補正方法】変更
【補正の内容】
【００１２】
本発明の第３の態様は、
入力画像データに基づく画像を画面に表示する表示手段を有する画像表示装置の制御方法であって、
前記入力画像データの輝度のダイナミックレンジに関する情報であるダイナミックレンジ情報を取得する取得ステップと、
輝度と色の少なくとも一方のムラを低減するムラ低減処理を、前記入力画像データに施す処理ステップと、
を有し、
前記処理ステップでは、前記ダイナミックレンジ情報に基づいて、前記入力画像データの階調値に対応する輝度が所定輝度よりも高い領域において、前記ムラ低減処理によるムラの低減度合いを低減する
ことを特徴とする画像表示装置の制御方法である。
【手続補正６】
【補正対象書類名】明細書
【補正対象項目名】００１３
【補正方法】変更
【補正の内容】
【００１３】
本発明の第４の態様は、
入力画像データの輝度のダイナミックレンジに関する情報であるダイナミックレンジ情報を取得する取得ステップと、
輝度と色の少なくとも一方のムラを低減するムラ低減処理を、前記入力画像データに施す処理ステップと、
を有し、
前記処理ステップでは、前記ダイナミックレンジ情報に基づいて、前記入力画像データの階調値に対応する輝度が所定輝度よりも高い領域において、前記ムラ低減処理によるムラの低減度合いを低減する
ことを特徴とする画像処理装置の制御方法である。
【手続補正７】
【補正対象書類名】明細書
【補正対象項目名】００１４
【補正方法】変更
【補正の内容】
【００１４】
本発明の第５の態様は、
入力画像データに基づく画像を画面に表示する表示手段を有する画像表示装置の制御方法をコンピュータに実行させるプログラムであって、
前記制御方法は、
前記入力画像データの輝度のダイナミックレンジに関する情報であるダイナミックレンジ情報を取得する取得ステップと、
輝度と色の少なくとも一方のムラを低減するムラ低減処理を、前記入力画像データに施す処理ステップと、
を有し、
前記処理ステップでは、前記ダイナミックレンジ情報に基づいて、前記入力画像データの階調値に対応する輝度が所定輝度よりも高い領域において、前記ムラ低減処理によるムラの低減度合いを低減する
ことを特徴とするプログラムである。
【手続補正８】
【補正対象書類名】明細書
【補正対象項目名】００１５
【補正方法】変更
【補正の内容】
【００１５】
本発明の第６の態様は、
画像処理装置の制御方法をコンピュータに実行させるプログラムであって、
前記制御方法は、
入力画像データの輝度のダイナミックレンジに関する情報であるダイナミックレンジ情報を取得する取得ステップと、
輝度と色の少なくとも一方のムラを低減するムラ低減処理を、前記入力画像データに施す処理ステップと、
を有し、
前記処理ステップでは、前記ダイナミックレンジ情報に基づいて、前記入力画像データの階調値に対応する輝度が所定輝度よりも高い領域において、前記ムラ低減処理によるムラの低減度合いを低減する
ことを特徴とするプログラムである。
【手続補正９】
【補正対象書類名】明細書
【補正対象項目名】００５０
【補正方法】変更
【補正の内容】
【００５０】
サイズ判断部３０８は、Ｄレンジ情報取得部１０１によって取得されたＤレンジ情報に基づいて、オーバーホワイト領域のサイズを判断する。具体的には、サイズ判断部３０８は、入力画像データと、ムラ補正パラメータ生成部３０２によって得られた対応関係（入力階調値と対応輝度との対応関係）とに基づいて、オーバーホワイト領域のサイズを判断する。本実施例では、統計量取得部３０７によって得られた統計量と、ムラ補正パラメータ生成部３０２によって得られた対応関係とに基づいて、オーバーホワイトサイズ（オーバーホワイト領域のサイズ）が判断される。図６は、統計量取得部３０７によって得られた統計量（階調値のヒストグラム）の一例を示す。本実施例では、図６に示す斜線領域のサイズが、オーバーホワイトサイズとして判断される。斜線領域のサイズは、所定の階調値Ｔｈよりも大きい階調値の範囲における度数の総和である。所定の階調値Ｔｈは、１００％の輝度に対応する入力階調値である。